(57)【特許請求の範囲】
【請求項１】
ガラス転移温度が設置環境温度よりも高い温度に設定された形状記憶樹脂からなると共に、厚さ方向に圧縮されて硬化された環状材からなることを特徴とするレベラー。
【請求項２】
ガラス転移温度が設置環境温度よりも高い温度に設定された形状記憶樹脂からなると共に、板状で、板圧方向に圧縮されて硬化されており、かつ、側面に開口しそこから面内奥方に延びる熱導入用の溝が成形されていることを特徴とするレベラー。
【請求項３】
設置対象物と設置面との間に介設され、設置対象物を所定の角度姿勢状態に支持するのに用いられる請求項１又は２に記載のレベラー。
【請求項４】
請求項１又は２に記載のレベラーが備えられていることを特徴とする設置対象物。
【請求項５】
レベル調整用の仮支持部が備えられている請求項４に記載の設置対象物。
【発明の詳細な説明】
【０００１】
【発明の属する技術分野】
本発明は、設置構造、設置対象物及びレベラーに関する。
【０００２】
【従来の技術】
例えば家具を勾配や不陸、段などのある床面に水平な角度姿勢状態に設置する場合に、傾く側の下面に厚みのある物を差し込んで水平にすることが行われている。
【０００３】
【発明が解決しようとする課題】
しかしながら、差し込む物の厚さが大きすぎたり、小さすぎたりして、なかなか家具を水平にすることができなかったり、設置状態において家具にガタツキを生じたりすることがあった。
【０００４】
本発明は、例えばこのような問題点に鑑み、家具等の設置対象物をガタツキのない所望の角度姿勢状態にすることができ、しかも、それを容易に実現することができる設置構造、設置対象物及びレベラーを提供することを課題とする。
【０００５】
【課題を解決するための手段】
上記の課題は、設置対象物と設置面との間に、ガラス転移温度が設置環境温度よりも高い温度に設定された形状記憶樹脂からなるレベラーが介設され、設置対象物が、この形状記憶樹脂レベラーによって所定の角度姿勢状態に支持されていることを特徴とする設置構造によって解決される。なお、本発明のレベラーに使用する形状記憶樹脂としては、例えば、ポリウレタン系の発泡体などが好適に用いられる。
【０００６】
形状記憶樹脂は、これをガラス転移温度以上の温度に加熱することで、ゴム状態となり、記憶した形状に自ら復元していこうとする。この復元の途中でそれ以上の復元を規制し、その規制状態において、放置するなどしてガラス転移温度を下回わらせると、その復元規制状態における形状を保持したまま硬化する。本発明は、形状記憶樹脂のこの性質に着目してなされたものである。
【０００７】
即ち、この設置構造では、設置対象物を所望の角度姿勢状態にし、設置対象物と設置面との間に配置した形状記憶樹脂レベラーに熱を付与してこれをゴム状態にすると、このレベラーは形状を復元させていき、設置対象物を上記の角度姿勢状態において支えるのにちょうどよい形状となる。その状態で、放置するなどして形状記憶樹脂レベラーをガラス転移温度を下回らせると、上記の形状を保持したまま硬化し、設置対象物を上記の角度姿勢状態において自ら支えることのできる状態となる。従って、設置対象物をガタツキのない所望の角度姿勢状態にすることができる。
【０００８】
しかも、設置対象物を所望の角度姿勢状態にしてレベラーに熱を付与するだけでよいから、設置対象物を容易に所望の角度姿勢状態にすることができる。
【０００９】
加えて、形状記憶樹脂からなるレベラーを用いるものであるから、このレベラーが面状のものであっても、あるいは、線状のものであっても、あるいは面状部と線状部とを有するものであっても、設置対象物をガタツキのない所望の角度姿勢状態にすることができ、従って、形状記憶樹脂レベラーが面状及び／又は線状をしており、設置対象物がこの形状記憶樹脂レベラーによって面状支持及び／又は線状支持されている構造とする場合は、設置状態において、設置対象物や設置面に局部集中的な力学的負荷がかかってしまうのを防ぐことができると共に、レベラーへの力学的負担も小さくすることができ、長期荷重に対する設置安定性を高いものにすることができる。
【００１０】
また、設置対象物にこのレベラーが備えられている場合は、レベラーを設置する作業を省略することができ、設置対象物を所望の角度姿勢状態に支えてレベラーに熱を付与するだけでよく、設置対象物を施工容易に所望の角度姿勢状態にすることができる。
【００１１】
設置対象物にレベル調整用の仮支持部が備えられている場合は、設置対象物をこの仮支持部によって所望の正確な角度姿勢状態にすることができ、しかも、角度姿勢状態の調整からその角度姿勢状態において設置対象物を形状記憶樹脂レベラーに支えさせるまでの一連の施工を容易に行うことができる。
【００１２】
【発明の実施の形態】
次に、本発明の実施形態を図面に基づいて説明する。
【００１３】
図１に示す第１実施形態は、キャビネットなどの家具１を設置対象物とし、勾配を有する床面２をその設置面とし、この床面２に家具１を水平に設置する場合のものである。
【００１４】
家具１の下面には、予め形状記憶樹脂レベラー３が取り付けられている。家具１は形状記憶樹脂レベラー付きの家具であってもよいし、家具１に接着剤や両面テープ、面ファスナーなどにて設置前に後付けしたものであってもよい。
【００１５】
この形状記憶樹脂レベラー３は、家具１の下面外周形状に沿う外周形状をしており、図２（イ）に示すような環状などの線状材、あるいは、図３（イ）に示すような板状材などからなる。このレベラー３を構成する形状記憶樹脂は、ガラス転移温度が設置環境温度よりも高い温度に設定されており、予め厚さ方向に圧縮状態にされて硬化されている。
【００１６】
施工は、図１（イ）に示すように、家具１を床面２上で水平にし、その状態で、ドライヤーなどの加熱手段でこのレベラー３を加熱すると、レベラー３は、ガラス転移温度を超えてゴム状となり、復元していき、その過程で、図１（ロ）に示すように、床面２に密着状態に当接する。そして、しばらく放置してレベラー３の温度が、ガラス転移温度を下回って設置環境温度に戻ると、そのままの形状で硬化し、レベラー３は、家具１を水平姿勢状態において支えることのできる状態となり、家具１は、このレベラー３により、ガタツキのない水平姿勢状態に安定良く設置される。
【００１７】
なお、家具１を水平状態にする方法としては、ジャッキなどを用いて、傾いている側をもちあげるようにするなどの方法が採用されてよい。
【００１８】
レベラー３が、図２（イ）に示すような環状のものである場合は、図２（ハ）に示すように、周方向の適当な位置において、環状部内にドライヤー４を差し込み、熱風を周囲に吹き付けることにより、差し込み部５を除く環状部が復元膨張していき、その後、ドライヤー４を引き抜き、差し込み部５に熱風を吹き付けることで、図２（ロ）に示すように、必要部分の全体をムラなく復元させていくことができ、レベラー３を施工容易に復元させることができる。
【００１９】
また、レベラー３が、図３（イ−１）に示すように、板状で、板厚方向に圧縮されて硬化されており、かつ、側面に開口６しそこから面内奥方へと延びる熱導入用の溝７が成形されているものである場合は、溝７の側面開口部６を通じてドライヤー４のノズル部分を差し込んで、熱風を、板状レベラー３の奥方まで行きわたらせることができ、板状レベラー７の必要部分全体をムラなく復元膨張させることができる。しかも、本例のレベラー３では、溝部分７は、最後に復元膨張させることで、図３（イ−２）に示すように、なくしてしまうことができる。なお、レベラー３の平面サイズに応じて、図３（イ−１）に示すように溝７を１本にしたり、図３（ロ）に示すように２本にしたり、あるいはまた、３本以上にしたりしてもよい。
【００２０】
図４に示す第２実施形態では、家具１の下面部にレベル調整用の仮支持部としての例えばネジ式などによる高さ調整機構８…が分散配置状態に備えられている。この設置構造では、設置の施工は、図４（ロ）に示すように、高さ調整機構８…により、家具１を床面２に水平に仮支持し、その状態で、図４（ハ）に示すように、形状記憶樹脂レベラー３を復元させることができ、別途ジャッキなどを使用する必要性がなく、簡易に施工を行うことができる。
【００２１】
以上に、本発明の実施形態を示したが、本発明はこれに限られるものではなく、発明思想を逸脱しない範囲で各種の変更が可能である。例えば、設置対象物は、家具に限らず、建具や間仕切りパネル、その他、各種の機器類、装置類などであってよい。また、設置面は、勾配を有するもののほか、不陸を有するものであってもよいし、段を有するものであってもよい。また、形状記憶樹脂レベラーは、設置対象物を水平に設置する場合に限らず、特定角度の傾斜状態に設置する場合のものであってもよい。また、本発明は、設置対象物を設置面である壁面に設置する場合に適用されてもよい。更に、上記の実施形態では、設置対象物を形状記憶樹脂レベラーによって面状支持あるいは線状支持する場合について示しているが、複数箇所を点で支持する構成のものであってもよい。また、形状記憶樹脂レベラーは、設置対象物を設置するに際して、設置対象物と設置面との間に差し込んで設置するようにしてもよい。また、上記の実施形態では、形状記憶樹脂レベラーとして、面状のものと、線状のものとを示しているが、面状部分と線状部分とを有するものに構成されていてもよい。
【００２２】
【発明の効果】
本発明は、以上のとおりのものであるから、家具等の設置対象物をガタツキのない所望の角度姿勢状態にすることができ、しかも、それを容易に実現することができる。
【図面の簡単な説明】
【図１】第１実施形態の設置構造を示すもので、図（イ）は形状記憶樹脂レベラーを復元させる前の状態を示す断面正面図、図（ロ）は復元させた後の状態を示す断面正面図である。
【図２】形状記憶樹脂レベラーの一例を示すもので、図（イ）は復元前の状態を示す斜視図、図（ロ）は家具下で復元膨張させた後の状態を示す斜視図、図（ハ）は復元させる方法を示す平面図である。
【図３】図（イ−１）は形状記憶樹脂レベラーの他の例を示す斜視図、図（イ−２）は家具下で復元させた後の状態を示す斜視図、図（ロ）は形状記憶樹脂レベラーの更に他の例を示す斜視図である。
【図４】第２実施形態の設置構造を示すもので、図（イ）は設置前の状態を示す断面正面図、図（ロ）は仮支持状態を示す断面正面図、図（ハ）は形状記憶樹脂レベラーを復元させた後の状態を示す断面正面図である。
【符号の説明】
１…家具（設置対象物）
２…床面（設置面）
３…形状記憶樹脂レベラー
８…仮支持部
【図１】
0004450951.tif 000002
【図２】
0004450951.tif 000003
【図３】
0004450951.tif 000004
【図４】
0004450951.tif 000005